【事件の表示】
　平成１１年特許願第３２０４６４号「弾球遊技機」拒絶査定に対する審判事件［平成１２年　５月　９日出願公開、特開２０００−１２６３７４］について、次のとおり審決する。
【結　論】
　本件審判の請求は、成り立たない。
【理　由】
１．出願の経緯
　本願、特願平１１−３２０４６４号は、昭和６０年６月２６日に出願した実願昭６０−９６８２８号の一部を平成４年４月２１日に新たな実用新案登録出願とした実願平４−３３７８９号を平成４年４月２１日に特許出願に変更した特願平４−１２９４５３号の一部を平成８年５月７日に新たな特許出願とした特願平８−１３７５０８号の一部を平成１１年５月１４日に新たな特許出願とした特願平１１−１３３９３８号の一部を平成１１年６月１４日に新たな特許出願とした特願平１１−１６６２８４号の一部を平成１１年７月１４日に新たな特許出願とした特願平１１−１９９７１２号の一部を平成１１年８月１１日に新たな特許出願とした特願平１１−２２７１１１号の一部を平成１１年９月１０日に新たな特許出願とした特願平１１−２５７１３４号の一部を平成１１年１０月１２日に新たな特許出願とした特願平１１−２８９４０５号の一部を平成１１年１１月１１日に新たな特許出願としたものである。
　　　　
２．本願発明
　本願発明は、平成１６年１月５日付けの手続補正書により補正された明細書及び図面の記載からみて、その特許請求の範囲の請求項１に記載された次のとおりのものである。
　「入賞口，駆動部材及び透光性カバーを有するとともに電装部品を不具備とした入賞装置本体と、
　前記入賞口に入賞した入賞球を導く球通路を備えるとともに前記入賞装置本体とは独立して設けられた後方ユニットとを備え、
　前記入賞装置本体を遊技盤の前面側より該前面に取り付け、前記入賞装置本体及び後方ユニットのそれぞれに形成した係合部及び嵌合部を互いに係合及び嵌合させるように当該後方ユニットを遊技盤の裏面側より該遊技盤を挟んでその裏面に取り付け、
　前記後方ユニットには、前記駆動部材を駆動させるソレノイド及び前記透光性カバーを介して点灯表示させる表示ランプを含む複数の電装部品を取り付け、かつそれら複数の電装部品からの接続配線を集約する中継端子盤を取り付けたことを特徴とする弾球遊技機。」
　　　
３．引用例に記載の発明　
　当審は、平成１５年１０月１４日付の拒絶理由で、本願発明は、刊行物である下記の第１乃至４引用例に記載された発明に基づいて当業者が容易に発明をすることができたものであるから、特許法第２９条第２項の規定により特許を受けることができない旨通知した。
　第１引用例：特開昭５８−１７５５８２号公報
　第２引用例：実願昭５５−１１８５２７号（実開昭５７−４２８７５号）
　　　　　　　のマイクロフイルム
　第３引用例．実願昭５６−１３３５７９号（実開昭５８−４０１８７号）
　　　　　　　のマイクロフイルム
　第４引用例．実願昭６０−９６８２８号（実開昭６２−６８７５号）
　　　　　　　のマイクロフイルム〔本願の基礎出願〕
　　　　　　　　
　（１）第１引用例に記載の発明（引用発明）
　i．第１引用例〔特開昭５８−１７５５８２号公報〕には、以下の事項が記載されている。
　「（１）少なくとも入賞球装置を配設した遊技盤を含む弾球遊技機であって、前記入賞球装置は、第１の入賞孔を形成した取付基板と、前記第１の入賞孔の左右両側に回動自在に設けられ、その回動によって開成したとき玉受部で受けたパチンコ玉を第１の入賞孔へ導く１対の開閉翼片と、前記取付基板上における前記第１の入賞孔の左斜め上部位置に回動自在に設けられ、回動したとき前記左側の開閉翼片へ向かって下向きに傾斜する玉受部を形成した第１の回動板と、前記取付基板上における前記第１の入賞孔の右斜め上部位置に回動自在に設けられ、回動したとき前記右側の開閉翼片へ向かって下向きに傾斜する玉受部を形成した第２の回動板とを含んで構成され、パチンコ玉が通過したとき、前記第１および第２の回動板の少なくとも一方と、前記１対の開閉翼片とを回動できる条件の定められた特定領域、前記特定領域を通過したパチンコ玉を検出する通過玉検出手段、ならびに前記通過玉検出手段出力に応答して、前記ｌ対の開閉翼片を開成状態に回動させ、かつ開閉翼片の開成期間中における一部の期間において前記第１および第２の回動板の少なくとも一方を回動させる駆動手段を備え、前記回動された少なくとも一方の回動板は、玉受部で受けたパチンコ玉を対応する開閉翼片へ導くことを特徴とする、弾球遊技機。」（特許請求の範囲）、
　「第１図はこの発明の一実施例のパチンコ機の正面図である。図において、パチンコ機１０は、前面枠１１を側枠または島枠（図示せず）に開閉自在に装着し、前面枠１１に遊技盤１を着脱自在に装着し、遊技盤１の前面にガラス前枠１２を開閉自在に装着している。・・・遊技盤１のほぼ中央部には、この実施例の特徴となる入賞球装置２０が装着される。」（第３頁左上欄第８〜１７行）、
　「なお、遊技盤１の裏面には、図示を省略しているが、後述の入賞球装置を駆動するための各種の駆動機構，特定領域を通過した玉を検出するための検出器，従来周知の機構板および賞品球放出機構などが配設される。」（第３頁右上欄第６〜１０行）、
　「次に、第２図〜第５Ｂ図を参照してこの実施例の入賞球装置の詳細な構成を説明する。入賞球装置２０は、取付基板２１を含む。・・・取付基板２１のほぼ中央部には、第１の入賞孔２１ａが形成される。・・・取付基板２１の左右両側の円板状部分には、第２の入賞孔２１ｅ，２１ｆが穿設される。・・・入賞孔２１ａよりも上部位置の取村基板２１には、第３の入賞孔２１ｍが穿設される。・・・この突起部材２３で囲まれる部分の取付基板２１には、窓２１ｃが穿設される。窓２１ｃには、必要に応じてセグメント表示器２９が設けられる。窓２１ｃの前面には、カバー２３ｄが固着される。・・・前記入賞孔２１ａを挟む左右両側には、開閉翼片２４ａ，２４ｂが対をなして回動自在に装着される。・・・前記入賞孔２１ｅ，２１ｆの前面には、第１及び第２の回動板２６ａ，２６ｂが回動自在に装着される。」（第３頁左下欄第４行〜第４頁左上欄第１８行）、
　「次に、前述の開閉翼片２４ａ，２４ｂおよび第１，第２の回動板２６ａ，２６ｂを駆動するための駆動機構３０の詳細を説明する。駆動機構３０は、取付基板２１の裏面（すなわち遊技盤１の裏面）であり、かつ取付基板２１に相対して設けられた駆動機構取付板（以下取付板）３１に関連的に装着される。この実施例の駆動機構３０は、開閉翼片駆動機構３２，第１の回動板２６を回動させるための回動板駆動機構３３および第２の回動板２６ｂを回動させるための回動板駆動機構３３を含む。
　開閉翼片駆動機構３２は、電気的付勢状態によって開閉翼片２４ａ，２４ｂを開成し、または消勢によって閉成するためのソレノイド３２ａを含む。ソレノイド３２ａのプランジヤ３２ｂには、レバー３２ｃが固着される。レバー３２ｃには、その上端部および下端部に係合孔３２１，３２２が形成される。係合孔３２１にはリンク３２ｄのピン３２３が係合される。リンク３２ｄおよび３２ｅは、軸３２４に軸孔３２５を形成し、ピン３２３の形成されている部分とは９０°異なる横方向に延びる腕部３２６の先端に係合孔３２７を形成している。リンク３２ｄは、取付基板２１の裏面に固着されたピン２２ｃが軸孔３２５に挿入されることによつて、回動自在に支持される。リンク３２ｄの係合孔３２７は、シヤツタ２８の突起２８１と係合される。リンク３２ｅは、取付基板２１の裏面に固着されたピン２２ｄが軸孔３２５に挿入されることによつて、回動自在に支持される。リンク３２ｅのピン３２３は係合孔３２２と係合される。リンク３２ｅの係合孔３２７には、作動板３２ｆの裏面に形成された突起部３２８が係合される。作動板３２ｆは、コ字状の板であり、左右両側の下端部分に係合孔３２９が形成される。作動板３２ｆの左右の係合孔３２９には、開閉翼片２４ａ，２４ｂのピン２４４がそれぞれ係合される。
　回動板駆動機構３３は、第１の回動板２６ａを回動させまたは復帰させるためのソレノイド３３ａを含む。ソレノイド３３ａのプランジヤ３３ｂには、Ｌ字状のリンク３３ｃが連結される。リンク３３ｃは、Ｌ字状に形成され、短辺３３１の先端がプランジヤ３３ｂに連結され、短辺３３１と長辺３３１の交点の軸孔３３３が駆動機構取付板３１に固着されたピンに挿入されて回動自在に支持される。長辺３３２の先端には、ピン３３４が形成される。ピン３３４はロツド３３ｄの一端に連結される。ロツド３３ｄの他端は、リンク３３ｅに形成されたピン３３５に連結される。リンク３３ｅの軸孔３３６には、軸孔２１ｇに挿通された回動板２６ａの軸２６４が挿入される。リンク３３ｅの先端に形成された係合孔３３７には、ガイド孔２１ｉに挿通された回動板２６ａのガイドピン２６５が係合される。
　回動板駆動機構３４は、左右対称な点および第２の回動板２６ｂに関連して設けられる点を除いて、回動板駆動機構３３と同様である。・・・突出片３５ａよりも上部部分には、必要に応じて発光ダイオード３５ｃが装着される。ガイド部材３５の裏面には、ソレノイド３２ａを載せるため載置部３５ｄが形成される。載置部３５ｄの上面には、ソレノイド３２ａが載せられる。」（第４頁左下欄第６行〜第５頁右上欄第１３行）、
　「次に、第４Ｂ図および第５Ｂ図を参照して、取付板３１の詳細を説明する。取付板３１の裏面には、セーフ孔２１ａに対応する位置から下方に向かう左右両側に経路３１ａ，３１ｂが形成される。・・・ガイド部材３５に形成された経路３５ａの終端から下方に至る部分には、経路３１ｅが形成される。経路３ｌｅの下方には、入賞孔２１ｍへ入賞した玉を検出するための入賞玉検出器３６ｃが設けられる。」（第５頁右上欄第１４行〜右下欄第３行）。
　ii．第１引用例における前記摘示の記載及び図面第１乃至５図によれば、第１引用例には、以下の発明（以下、「引用発明」という。）が記載されているものと認められる。
　「第１の入賞孔２１ａを挟む左右両側に対をなして回動自在な開閉翼片２４ａ，２４ｂと、第２の入賞孔２１ｅ，２１ｆの前面に回動自在な第１及び第２の回動板２６ａ，２６ｂと、カバー２３ｄを有するセグメント表示器２９とが取付基板２１に装着された入賞球装置２０と、
　前記第１の入賞孔２１ａ及び前記第２の入賞孔２１ｅ，２１ｆに入賞した入賞玉を導く経路３１ａ，３１ｂ，３ｌｅを備えるとともに前記入賞球装置２０とは独立して設けられた駆動機構取付板３１とを備え、
　前記入賞球装置２０を遊技盤の前面側より該前面に取り付け、前記入賞球装置２０に相対するように前記駆動機構取付板３１を遊技盤の裏面側より該遊技盤を挟んでその裏面に取り付け、
　前記駆動機構取付板３１には、前記開閉翼片２４ａ，２４ｂを駆動させる開閉翼片駆動機構３２と、前記第１の回動板２６ａを駆動させる第１の回動板駆動機構３３と、前記第２の回動板２６ｂを駆動させる第２の回動板駆動機構３４と、発光ダイオード３５ｃとが装着されたパチンコ機。
　そして、前記駆動機構取付板３１における開閉翼片駆動機構３２のソレノイド３２ａのプランジヤ３２ｂからレバー３２ｃを介してリンク３２ｅに係合する作動板３２ｆの左右に形成された係合孔３２９には、前記入賞球装置２０における開閉翼片２４ａ，２４ｂに形成されたピン２４４が係合され、前記駆動機構取付板３１における第１の回動板駆動機構３３のソレノイド３３ａのプランジヤ３３ｂからリンク３３ｃを介してリンク３３ｅの先端に形成された係合孔３３７には、前記入賞球装置２０における第１の回動板２６ａに形成されたガイドピン２６５が係合され、同様に、第２の回動板駆動機構３４のソレノイド３４ａのプランジヤ３４ｂからリンク３４ｃを介してリンク３４ｅの先端に形成された係合孔３３７には、前記入賞球装置２０における第２の回動板２６ｂに形成されたガイドピン２６５が係合される。」
                        　　　　
　（２）第２引用例に記載の発明
　i．第２引用例〔実願昭５５−１１８５２７号（実開昭５７−４２８７５号）のマイクロフイルム〕には、以下の事項が記載されている。
　「コイン式パチンコ機本体の機能に係る配線系統と遊技内容に係る配線系統とを分離して夫々中継基板に集約し、この中継基板と制御装置とを接続したことを特徴とするコイン式パチンコ機の配線処理構造。」（第１頁第５〜 ９行）、
　「現在、コイン式パチンコ機は電子部品の発達によつて一層趣興に富んだゲーム内容となつているが、その反面、電気・電子部品も増加しその配線が複雑化している。配線の未整理、複雑化は配線が無用に長くなり、コードバインダー等の結束部品の使用量も多くなるなど不経済であるばかりか、玉止りの原因となったり、断線事故を生じ易くなる等の不都合があつた。殊に保守点検作業に手間が掛り、電気・電子部品の交換も困難な状態であつた。本考案は、かかる不都合を解消するため、配線をコイン式パチンコ機本体の機能に係る配線系統とマトリックス等の遊技内容に係る配線系統との二系統に分離し、各系統の配線を夫々別個の中継基板に集約し、これ等とマトリックス等の制御装置とをコネクター等を以つて接続したものである。」（第１頁第１４行〜 第２頁第１０行）、
　「コイン式パチンコ機本体の機能に係る電気・電子部品は、前面枠１に装着したコイン投入阻止装置２、精算スイッチ３、スピーカー４及び前面枠１に蝶番５を介して着脱・開閉自在に係合する裏機構板６に装着したコイン検出器７、コイン不足検出器８、コイン排出装置９から成る。」（第２頁第１２〜１８行）、
「遊技内容に係る電気・電子部品は、遊技盤１７に設けた打球供給装置１８、入賞打球検出器１９、入賞具変動装置２０、ターゲット検出器群２１、マトリックス２２、得点表示装置２３、及び打止表示装置２４等から成る。・・・入賞打球検出器１９は入賞打球を検出するもので入賞具２７の裏面に設けている。入賞具変動装置２０は、チューリップ等の入賞具２７を開閉するための装置である。ターゲット検出器群２１は、ターゲット２８に入賞した打球を検出するもので、遊技盤１７の表面に設けたターゲット２８に対応させ遊技盤１７の裏面に設けている。マトリックス２２はターゲット２８の入賞に応じて所定の表示をなすもので、遊技盤１７表面に設ける。」（第３頁第２０行〜第４頁第１７行）、
　「制御装置２９は所定のゲーム内容を記憶させたコンピュータであり、遊技盤１７の裏面に装着する。」（第５頁第２〜４行）、
　「本考案は、この制御装置２９に対し、叙上の各電気・電子装置及び部品間の配線を、コイン式パチンコ機本体の機能に係るグループ（Ａブロック）と遊技内容に係るグループ（Ｂブロック）との二系統に分離し、各系統の配線を夫々の中継基板３０に集約し、この中継基板３０と制御装置２９とをコネクター等を介して接続したものである。Ａブロックを第１中継基板３０ａに、Ｂブロックを第２中継基板３０ｂに集約して配線し、第１中継基板３０ａを裏機構板１７裏面に、第２中継基板３０ｂを遊技盤１７の裏面に設けている。第５図はこの配線状態を示すブロック図である。」（第５頁第５〜１７行）、
　「本考案は、配線を二系統に分離し夫々を中継基板に集約して制御装置に接続したものであるから、配線が大幅に整理統合され配線に伴なう諸経費の節減と、保守点検が迅速かつ容易となる。殊に、コイン式パチンコ機の業界においては、各社とも二機種以上製造販売しているのが現状であり、それだけ遊技内容即ちＢブロックの内容が多種多様となつているが本考案の如く、コイン式パチンコ機本体の機能に係る系統、即ちＡブロックと分離することにより、Ａブロックは何れの機種にも対応し、互換性のあるコイン式パチンコ機を提供する点に著しい効果を有する。又、Ａブロックを遊技盤１７と分離し、これと着脱自在に構成した裏機構板６に装着することにより、裏機構板６ともども新規の遊技機に再利用できる利点もある。」（第６頁第２〜１７行）。
　ii．第２引用例における前記摘示の記載及び図面第１乃至５図によれば、第２引用例には、以下の発明が記載されているものと認められる。
　「パチンコ機本体の機能に係る複数の電気・電子部品からの接続配線を集約する第１中継基板３０ａを配置した裏機構板６、及び、遊技内容に係る複数の電気・電子部品からの接続配線を集約する第２中継基板３０ｂを裏面に配置した遊技盤１７を有するコイン式パチンコ機。」
　　
４．本願発明と引用発明との対比判断
　（１）本願発明と引用発明との対比
　本願発明と引用発明とを対比すると、引用発明における、「入賞孔２１ａ，２１ｅ，２１ｆ」、「開閉翼片２４ａ，２４ｂ、第１及び第２の回動板２６ａ，２６ｂ」、「開閉翼片駆動機構３２、第１の回動板駆動機構３３、第２の回動板駆動機構３４」、「発光ダイオード３５ｃ」、「入賞孔と、開閉翼片と、第１及び第２の回動板とが取付基板２１に装着された入賞球装置２０」、「入賞玉」、「経路３１ａ，３１ｂ，３ｌｅ」、「経路と、開閉翼片駆動機構と、第１及び第２の回動板駆動機構と、発光ダイオード３５ｃとが装着された駆動機構取付板３１」、「パチンコ機」は、それぞれ、本願発明における、「入賞口」、「駆動部材」、「ソレノイドとしての電装部品」、「表示ランプとしての電装部品」、「入賞装置本体」、「入賞球」、「球通路」、「後方ユニット」、「弾球遊技機」に相当する。
　また、引用発明における「セグメント表示器２９」は、本願発明における「電装部品」の概念に含まれるものである。
　そして、引用発明における「入賞球装置２０に形成されたピン２４４，ガイドピン２６５」及び「駆動機構取付板３１に形成された係合孔３２９、係合孔３３７」は、それぞれ、本願発明における「入賞装置本体に形成した係合部」及び「後方ユニットに形成した係合部」に相当する。
　そうすると、本願発明と引用発明の両者は、以下の点でそれぞれ、一致ならびに相違するものと認められる。
　一致点．「入賞口及び駆動部材を有する入賞装置本体と、
　前記入賞口に入賞した入賞球を導く球通路を備えるとともに前記入賞装置本体とは独立して設けられた後方ユニットとを備え、
　前記入賞装置本体を遊技盤の前面側より該前面に取り付け、前記入賞装置本体及び後方ユニットのそれぞれに形成した係合部を互いに係合させるように当該後方ユニットを遊技盤の裏面側より該遊技盤を挟んでその裏面に取り付け、
　前記後方ユニットには、前記駆動部材を駆動させるソレノイド及び点灯表示させる表示ランプを含む複数の電装部品を取り付けた弾球遊技機。」
　相違点Ａ．入賞装置本体に、本願発明は、表示ランプの透光性カバーを有するとともに、電装部品を不具備としたのに対して、引用発明は、表示ランプの透光性カバーを有するか否か明らかでないとともに、セグメント表示器２９としての電装部品を具備した点。
　相違点Ｂ．入賞装置本体及び後方ユニットを遊技盤を挟んで取り付ける構成において、本願発明は、入賞装置本体及び後方ユニットのそれぞれに形成した係合部及び嵌合部を互いに係合及び嵌合させるように構成したのに対して、引用発明は、入賞装置本体及び後方ユニットのそれぞれに形成した係合部を互いに係合させて両者が相対するように構成した点。
　相違点Ｃ．後方ユニットに、本願発明は、複数の電装部品と該複数の電装部品からの接続配線を集約する中継端子盤を取り付けた構成であるのに対して、引用発明は、複数の電装部品を取り付けた構成にとどまり、中継端子盤の有無を含めて複数の電装部品からの接続配線に係る構成が不明な点。
　　　　
　（２）相違点Ａの検討
　表示ランプに透光性カバーを設けるようにした入賞装置は、周知技術（例えば、実願昭５７−１６２２８３号（実開昭５９−６８５７８号）のマイクロフイルム、特開昭５８−１５５８８２号公報参照）である。
　また、電装部品を複数の部材に分散することなく集中して配設することによって、電装部品の取付及び配線に係る作業が効率的に行えることは、技術常識であるから、複数の電装部品を入賞装置に配設するときに後方ユニットにすべての電装部品を具備させて入賞装置本体には具備しないようにすることは、入賞装置を構成する電装部品の特性に応じて適宜になし得る単なる設計的事項に過ぎない。
　そうすると、引用発明に示される入賞装置本体において、表示ランプに透光性カバーを設ける前記周知技術を採用するとともに、電装部品の取付及び配線に係る作業を効率的に行うことを考慮して、前記相違点Ａに係る本願発明のように構成することは、当業者が容易に想到できるものである。
　　　
　（３）相違点Ｂの検討
　一般に、一方の部材に対して他方の部材を相対するように取り付ける場合に、それぞれの部材に形成した嵌合部をもって互いに嵌合させるように取り付けることは、特定の技術分野に限定されない周知技術であり、弾球遊技機の技術分野においても、入賞装置本体及び後方ユニットのそれぞれに形成した嵌合部を互いに嵌合させるように遊技盤を挟んで取り付けることは、適宜実施されている技術（例えば、実願昭５６−１４５６５５号（実開昭５８−４８２７９号）のマイクロフイルム参照）である。
　そうすると、引用発明に示される、入賞装置本体及び後方ユニットのそれぞれに形成した係合部を互いに係合させて両者が相対するように遊技盤を挟んで取り付けた構成において、２つの部材を該部材に形成した嵌合部をもって互いに嵌合させるように取り付ける周知技術を採用して、前記相違点Ｂに係る本願発明のように構成することは、当業者が容易に想到できるものである。
　　　　　　　　
　（４）相違点Ｃの検討
　引用発明は、入賞装置の後方ユニットを構成する複数の電装部品としての開閉翼片駆動機構３２、第１の回動板駆動機構３３、第２の回動板駆動機構３４及び発光ダイオード３５ｃを駆動機構取付板３１に装着し、これを遊技盤に取り付けるようにしたパチンコ機であって、入賞装置の後方ユニットの範疇で複数の電装部品を統合する技術思想が示されている。
　また、第２引用例には、入賞装置の後方ユニットを構成する複数の電装部品を遊技盤に取り付けると共に、該複数の電装部品からの接続配線を集約する中継端子盤を遊技盤の裏面に取り付けることで、遊技盤の範疇において複数の電装部品と該電装部品からの接続配線を集約する中継端子盤とを部品集合体として統合したパチンコ機の発明が開示されている。
　そうすると、引用発明に示される、入賞装置の後方ユニットの範疇で複数の電装部品を統合する技術思想において、第２引用例に記載の発明に示される、複数の電装部品と該電装部品からの接続配線を集約する中継端子盤とを統合する技術を採用して、前記相違点Ｃにかかる本願発明のように構成することは、当業者が容易に想到できるものである。
　　　
　（５）本願発明の作用効果の検討
　本願発明の作用効果は、引用発明及び第２引用例に記載の発明並びに前記周知技術に基づいて当業者が容易に予測できるものである。
　　　
　（６）まとめ
　よって、本願発明は、第１引用例に記載された発明（引用発明）及び第２引用例に記載された発明に基づいて当業者が容易に発明をすることができたものである。
　　　　
５．むすび
　以上のとおり、本願発明は、第１引用例及び第２引用例に記載された発明に基づいて当業者が容易に発明をすることができたものであるから、特許法第２９条第２項の規定により特許を受けることができない。
　よって、結論のとおり審決する。